(57)【要約】【課題】発破時に発生した粉塵を簡単な装置によって効率よく吸引除去することができるトンネル内における集塵方法とその装置を提供する。【解決手段】切羽近傍部１１から所定距離後方におけるトンネル内を可撓性を有する縦仕切幕１によって左右に分割して一方を集塵通路３に、他方を送風通路４に形成し、集塵通路３の後端部に集塵機２を配設してこの集塵機２の吸引力を集塵通路３を通じて切羽近傍部１１内に作用させることにより、この切羽近傍部１１内に発生した粉塵を集塵通路３を通じて効率よく吸引、除去し、また、発破時には上記縦仕切幕１を上方に或いは後方に折り畳んで発破の影響を受けないように構成している。【選択図】    図２
2004324188.tif 000002
【特許請求の範囲】
【請求項１】
切羽近傍部から所定長さ後方に達するまでのトンネル内をトンネル長さ方向に長い縦仕切幕によって集塵通路と送風通路とに分割すると共に該集塵通路の後端側に集塵機を配設してこの集塵機により切羽側に発生している粉塵を上記集塵通路を通じて吸引、除去することを特徴とするトンネル内における集塵方法。
【請求項２】
切羽近傍部で発生した粉塵の除去後、該切羽を発破により掘削する際に縦仕切幕をトンネル天端側、トンネル底面側、集塵機側のうちのいずれかの側に引き寄せ、発破後に該縦仕切幕を展開すると共に発破後の切羽側に向かって移動させて再び粉塵除去を行うことを特徴とする請求項１に記載のトンネル内における集塵方法。
【請求項３】
トンネル切羽近傍部で発生した粉塵を除去する集塵装置であって、切羽近傍部から所定長さ後方に達するまでのトンネル内に配設してトンネル横断面を集塵通路と送風通路とに分割する縦仕切幕と、この縦仕切幕によって形成された上記集塵通路の後端部に配設して切羽側に発生した粉塵をこの集塵通路を通じて吸引除去する集塵機とからなることを特徴とするトンネル内における集塵装置。
【請求項４】
縦仕切幕はトンネル横断面における一側寄りに配設されていて送風通路よりも集塵通路の断面積を狭くしていることを特徴とする請求項３に記載のトンネル内における集塵装置。
【請求項５】
縦仕切幕は横長長方形状の可撓性シート材からなり、トンネル天端から吊り下げられてその下端をトンネル底面に切り離し可能に固定されていることを特徴とする請求項３または請求項４に記載のトンネル内における集塵装置。
【請求項６】
縦仕切幕はトンネル底面側からトンネル天端に向かって引き寄せ可能に構成していることを特徴とする請求項３、請求項４または請求項５に記載のトンネル内における集塵装置。
【請求項７】
縦仕切幕はトンネル長さ方向に引き寄せ可能であることを特徴とする請求項３、請求項４または請求項５に記載のトンネル内における集塵装置。
【発明の詳細な説明】
【０００１】
【発明の属する技術分野】
本発明は、山岳トンネル工事等において、コンクリートの吹付けや発破等により発生した切羽側の粉塵を円滑且つ効率よく吸引、除去するトンネル内における集塵方法とその方法を実施するための装置に関するものである。
【０００２】
【従来の技術】
山岳トンネル工事においては、トンネル内の換気が必要なため、トンネル外より切羽近傍部にまで風管を配設して新鮮な空気を送風している。また、切羽側においては、発破や掘削壁面に対するコンクリート吹付けなどの粉塵が多量に発生する作業が多いことから、切羽から後方のトンネル内に集塵機を設置し、該集塵機によって粉塵を吸引、除去している。この場合、集塵効率を上げるには、切羽への送風量よりも大きな風量を処理できる集塵機が必要であり、鉄道や道路のトンネル工事においては、一般的に送風量が１５００ｍ３  ／ｍｉｎ  であって、集塵処理能力が２０００ｍ３  ／ｍｉｎ  の集塵機を使用している。
【０００３】
このような集塵機は、発破や工事用機械などによる損傷を避けるため、切羽から後方７０〜１００  ｍ程度のトンネル内における一側壁面側に寄せた位置に設置されることが多いが、この位置から集塵機を作動させて集塵を行っても切羽近傍部の粉塵を効果的に吸引、除去することが困難であり、切羽近傍部の作業環境を良好に保つことができない。そのため従来から、図８、図９に示すように、集塵機２Ａの吸込口に折り畳み自在な風管３Ａを接続してこの風管３Ａを切羽１１側に向かって繰り出し、該風管３Ａを通じて切羽１１側に発生した粉塵を集塵機２Ａに吸引、除去させたり、或いは、集塵機と同じ能力を有する送風ファンを切羽近傍部に設置し、この送風ファンから後方に設置した集塵機まで風管を延ばして切羽側に発生した粉塵を除去することが行われている（例えば、特許文献１参照）。
【０００４】
【特許文献１】
特開２００１−１６５４９５号公報（第３、４頁、第４、５図）
【０００５】
【発明が解決しようとする課題】
しかしながら、上記いずれの集塵方法においても、重量の大なる風管の配設作業に多大な労力と手間を要するばかりでなく、風管の径は１．３  〜１．５  ｍ程度が限度であるため、集塵が可能な範囲が狭くて切羽全体の集塵が困難であると共に比較的多くの処理時間を必要とし、また、発破時においては、切羽近傍部に設置している送風ファンの移動、撤去や風管の折り畳み等の煩わしい作業が伴うといった問題点があった。
【０００６】
本発明は上記のような問題点に鑑みてなされたもので、その目的とするところは、トンネル自体を集塵通路として利用して切羽側に発生した粉塵を全面的に効率良く且つ円滑に吸引、除去し得ると共に、この集塵処理の準備作業も簡単に行えるトンネル内における集塵方法及び装置を提供するにある。
【０００７】
【課題を解決するための手段】
上記目的を達成するために、本発明のトンネル内における集塵方法は、請求項１に記載したように、切羽近傍部から所定長さ後方に達するまでのトンネル内をトンネル長さ方向に長い縦仕切幕によって集塵通路と送風通路とに分割すると共に該集塵通路の後端側に集塵機を配設してこの集塵機により切羽側に発生している粉塵を上記集塵通路を通じて吸引、除去することを特徴とする。
【０００８】
この請求項１に記載のトンネル内における集塵方法において、請求項２に係る発明は、切羽近傍部で発生した粉塵の除去後、該切羽を発破により掘削する際に縦仕切幕をトンネル天端側、トンネル底面側、集塵機側のうちのいずれかの側に引き寄せ、発破後に該縦仕切幕を展開すると共に発破後の切羽側に向かって移動させて再び粉塵除去を行うことを特徴とする。なお、本発明でいう引き寄せとは折り畳み、巻き取り、たくし寄せ等を含む概念である。
【０００９】
請求項３に係る発明は、上記トンネル内における集塵方法を実施するための装置であって、切羽近傍部から所定長さ後方に達するまでのトンネル内に配設してトンネル横断面を集塵通路と送風通路とに分割する縦仕切幕と、この縦仕切幕によって形成された上記集塵通路の後端部に配設して切羽側に発生した粉塵をこの集塵通路を通じて吸引除去する集塵機とから構成している。
【００１０】
このように構成したトンネル内における集塵装置において、請求項４に係る発明は、縦仕切幕をトンネル横断面における一側寄りに配設して、上記送風通路よりも集塵通路の断面積を狭くしていることを特徴とする。
【００１１】
さらに、請求項５に係る発明は、上記縦仕切幕としては横長長方形状の可撓性シート材からなり、この縦仕切幕をトンネル天端から吊り下げてその下端をトンネル底面に切り離し可能に固定した構造としている。
【００１２】
また、請求項６に係る発明によれば、トンネル天端から吊り下げている上記縦仕切幕は、トンネル天端に向かって引き寄せ可能に構成されている一方、請求項７に係る発明では、トンネル長さ方向に引き寄せ可能に構成されている。
【００１３】
【作用】
切羽近傍部から所定長さ後方に達するまでのトンネル内に、天端から横長長方形状の縦仕切幕をトンネル底面に達するまで垂れ下げることにより、この縦仕切幕によってトンネルの一側部内を集塵通路に、他側部内を送風通路となるように区画する。この場合、縦仕切幕をトンネル横断面における一側寄りに配設して、上記送風通路よりも集塵通路の横断面幅を狭くしておくことが好ましい。この状態にして集塵通路の後端部内に集塵機を配設して該集塵機を作動させると、この集塵機による吸引力が集塵通路内を通じて切羽側に全面に亘って作用し、切羽近傍部に発生している粉塵が集塵通路内に汚れた空気と共に流入して集塵通路を通じて上記集塵機に吸い込まれて集塵、除去される。
【００１４】
この際、集塵機の吸引力によって切羽近傍部の汚れた空気を集塵通路内に吸引すると、切羽近傍部側は集塵機の後方側よりも低圧となるため、集塵機により粉塵が除去された該集塵機の後端排出口から排出された清浄な空気の一部は、縦仕切幕により仕切られた上記送風通路側に反転して切羽側に向かって流れる。即ち、集塵通路側と送風通路側とではトンネル内の空気の流れが縦仕切幕を介して逆向きとなり、上記集塵機から排出された清浄な空気は、トンネル外から送風通路を通じて切羽側に送り込まれる新鮮な空気と共に、切羽近傍部内において粉塵と混合し、再び、集塵通路内を通じて集塵機によりその空気に混合している粉塵が除去される。
【００１５】
このように、縦仕切幕によってトンネル内を集塵通路と送風通路とに仕切っているので、切羽近傍部に臨んでいる集塵通路の開口部の面積が極めて広くなり、切羽近傍部内に発生する広い範囲に存在する粉塵を集塵通路内に空気と共に満遍なく多量に吸い込むことができて、粉塵処理時間の短縮を図ることができる。
【００１６】
また、上記縦仕切幕は、横長長方形状の軽量な可撓性シート材からなり、このシート材からなる縦仕切幕をトンネル天端から上下方向又はトンネル長さ方向に引き寄せ自在に吊り下げているので、発破時や集塵を行う必要のない作業時には引き寄せることによって容易に邪魔にならない状態に撤去しておくことができ、集塵処理時には簡単に展開することができて集塵処理の準備が迅速に行えるものである。
【００１７】
さらに、トンネル天端からの縦仕切幕の吊り下げは、トンネル天端にメッセンジャーワイヤ又はカーテンレールをトンネル長さ方向に取付けておくことによってこれらのメッセンジャーワイヤ又はカーテンレールに引き寄せ可能に吊支させることができ、集塵装置はこのメッセンジャーワイヤ又はカーテンレールと、縦仕切幕と、集塵機とから構成されているので、構造が簡単で安価となり、且つ良好な取扱性を備えた集塵装置として提供することができる。
【００１８】
【発明の実施の形態】
次に、本発明の具体的な実施の形態を図面について説明すると、図１は山岳トンネル工事において、トンネル切羽近傍部１１で発生した粉塵を除去している状態の簡略縦断側面図、図２はその簡略平面図、図３は簡略縦断正面図であって、集塵装置は、切羽近傍部１１から所定長さ後方に達するまでのトンネル１０内に配設されてその長さ部分のトンネル横断面を集塵通路３と送風通路４とに分割する縦仕切幕１と、この縦仕切幕１によって形成された上記集塵通路３の後端部に配設されて切羽側に発生した粉塵を集塵通路３を通じて吸引、除去する集塵機２とから構成されている。
【００１９】
詳しくは、上記縦仕切幕１は横長長方形状の可撓性を有する合成樹脂製シート材又は非通気性となるように処理された帆布等の繊維シート材からなり、その長さは約５０ｍで縦幅はトンネル天端１２からトンネル底面１３に達する幅に形成されている。そしてこの縦仕切幕１は上記送風通路４が集塵通路３よりもトンネル断面方向の幅が広くなるようにトンネル横断面における一側寄りに配設されていて、トンネル１０の一側壁面とこの一側壁面に対向する縦仕切幕１の対向面とでトンネル断面の１／４〜１／５程度の広さを有する幅狭い集塵通路３を形成し、トンネル１０の他側壁面とこの他側壁面に対向する縦仕切幕１の対向面とで幅広い上記送風通路４を形成していると共に、この縦仕切幕１の上方のトンネル天端１２に取付けているトンネル長さ方向に長いメッセンジャーワイヤ５に吊り金具６を介して吊り下げられている。
【００２０】
メッセンジャーワイヤ５は、切羽面から後方に約２０ｍ離れたトンネル天端部分から上記縦仕切幕１の長さよりも長い距離を存したトンネル天端部分に亘って配設されてあり、このメッセンジャーワイヤ５の長さ方向に所定間隔毎に装着している吊り金具６に縦仕切幕１の上端縁が長さ方向に所定間隔毎に取付けている。そして、この実施の形態においては、吊り金具６をメッセンジャーワイヤ５に前後方向に摺動移動自在に装着して、図４、図５に示すように、縦仕切幕１をメッセンジャーワイヤ５の前端側から後方に向かってトンネル長さ方向に引き寄せ可能に構成している。
【００２１】
さらに、集塵時において、縦仕切幕１がメッセンジャーワイヤ５を支点としてトンネル幅方向に揺動しないように、トンネル１０の底面に達している該縦仕切幕１の下端をトンネル底面１３に切り離し可能に固定している。この固定手段としては図示していないが、縦仕切幕１の下端に長さ方向に所定間隔毎にフック状金具を取付ける一方、トンネル底面１３にリング状金具を着脱自在に固定し、このリン状金具にフック状金具を係止させることによって固定するように構成するか、或いは、トンネル底面１３に重錘を撤去可能に配設し、この重錘と縦仕切幕１の下端部とを紐状物を介して切り離し可能に連結してもよい。なお、縦仕切幕１の下端に車輪を長さ方向に一定間隔毎に取付けておいてもよく、このように構成しておくことによって、縦仕切幕１の引き寄せや引き寄せ状態からの展開作業が一層、軽快に且つ円滑に行うことができる。
【００２２】
この縦仕切幕１によって形成された上記集塵通路３の後端部に配設されている集塵機２は集塵通路３側に開口している集塵極板或いは集塵袋等を内蔵した集塵部２ａと、この集塵部２ａの後端に連結、連通している吸気ファン２ｂと、この吸気ファン２ｂの吐出口側に連結、連通して集塵部２ａにより集塵されて吸気ファン２ｂを通過した新鮮な空気を後方に排出する排出口２ｃとからなり、上記集塵部２ａを集塵通路３の後端に向けた状態にしてトラック等の移動車７上に設置されている。さらに、集塵通路３側に向けて開口している集塵部２ａの横幅は集塵通路３の横幅よりも僅かに幅狭く形成されていて、集塵時に該集塵部２ａの開口端部を集塵通路３の後端部内に挿入した状態で配設されると共に、この集塵部２ａ上には、集塵通路３の後端部における該集塵部２ａから上方の空間部を遮断する遮風横断幕８が集塵部２ａ上に引き寄せ可能に設置されている。
【００２３】
一方、送風通路４側には、トンネル１０外からの新鮮な空気を切羽近傍部１１内に送り込む風管９が配設されている。この風管９はその後端をトンネル１０外に配設していると共に、トンネル１０内においては該トンネル１０の他側部側の天端１２に吊支されてあり、さらに、該風管９の適所に送風ファン（図示せず）を設けていると共に前端部を上記送風通路４内を通じて切羽近傍部１１に臨ませている。なお、風管９はトンネル１０が一定長さ、掘削される毎にその長さに応じた定尺の風管を継ぎ足し可能に構成されている。
【００２４】
以上のように構成した集塵装置によって切羽近傍部１１内に発生している粉塵を吸引、除去するには、まず、メッセンジャーワイヤ５から縦仕切幕１を垂れ下げた状態にしてその下端をトンネル底面１３に固定することにより、この縦仕切幕１によって切羽近傍部１１から後方部におけるトンネル１０の所定長さ部分を集塵通路３と送風通路４とに左右に区画する。この場合、切羽面から後方２０ｍのトンネル内が切羽近傍部１１の空間部であり、縦仕切幕１の前端は切羽から２０ｍ後方の位置からその長さ（５０ｍ）に相当するトンネル内を上記のように集塵通路３と送風通路４とに仕切っている。
【００２５】
また、移動車７を集塵通路３の後端側にまで移動させてその上に設置している集塵機２の集塵部２ａの開口端部を集塵通路３の後端部内に臨ませて吸引口とすると共に、遮風横断幕８を展開して集塵部２ａの上方の集塵通路３の空間部を遮断する。
【００２６】
この状態にして集塵機２の吸気ファン２ｂを作動させると、この吸気ファン２ｂの吸引力が集塵部２ａから集塵通路３内を通じて切羽近傍部１１内に作用し、該切羽近傍部１１内の発生している粉塵が空気と共に集塵通路３内に流入、通過して集塵部２ａ内に入り、この集塵部２ａによって集塵、除去されたのち、新鮮な空気となって吸気ファン２ｂの吐出口から排出口２ｃを通じて後方に排出される。
【００２７】
この際、集塵通路３の断面積は上述したように、トンネル断面の１／４〜１／５と、従来の風管による集塵通路に比較して極めて大きいため、集塵機２の吸込口を３〜４倍に大きくしたのと同じ集塵範囲が得られ、切羽近傍部１１の空間部の広い範囲に亘って吸引力を作用させて切羽近傍部全体の汚染空気を集塵通路３内に流入させることができる。その上、切羽近傍部１１内の汚染空気が集塵通路３内に流入、排出されると、該切羽近傍部１１内が低圧となるので、集塵機２の排出口２ｃから排出された新鮮な空気の一部は、送風通路４側に反転するように流入して該送風通路４を通じて切羽近傍部１１内に供給される。
【００２８】
さらに、集塵機２の吸気ファン２ｂの吸引力によって切羽近傍部１１から集塵通路３内に流れ込む空気量は、吸気ファン２ｂの吸込口及び集塵通路３の横断面積が広いために大きくすることができ、その空気量を例えば、２０００ｍ３  ／ｍｉｎ  とする一方、風管９を通じて切羽近傍部１１内に供給される新鮮な空気の供給量を１５００ｍ３  ／ｍｉｎ  とすると、吸気ファン２ｂから排出された新鮮な空気のうち、５００  ｍ３  ／ｍｉｎ  の量の空気が再び切羽近傍部１１側に供給され、切羽近傍部１１への送風量が増加して良好な作業環境を実現すると共に粉塵を短時間で除去することができる。
【００２９】
こうして、発破時に発生した粉塵やコンクリート吹付け機２０による掘削壁面へのコンクリート吹付時によって発生する粉塵等を集塵通路３を通じて集塵機２により集塵、除去したのち、切羽面をトンネル延長方向に一定長さ掘削する。この掘削作業は公知のように、穿孔機２１によって切羽面に所定深さの発破孔複数個、トンネル延長方向に穿設したのち、これらの発破孔内に火薬を装填して爆破させることにより、隣接する発破孔間に亀裂を発生させ、これらの亀裂部で囲まれたブロック形状の岩盤部分を除去することによって行われる。
【００３０】
この発破孔の穿孔時から発破が完了するまでの間、集塵機２の運転を停止しておくと共に上記縦仕切幕１を図４、図５に示すようにメッセンジャーワイヤ５に沿って集塵機２側に引き寄せておき、作業の邪魔にならないようにする。また、この引き寄せられた縦仕切幕１と共に集塵機２は、切羽から約７０ｍ後方のトンネル内に位置させているので、発破の影響を受ける虞れもない。なお、メッセンジャーワイヤ５は発破後において、新たに掘削されるトンネル部分の長さに相当する長さだけ、前方に延出させる。
【００３１】
この場合、掘削されるトンネル部分の長さに略等しい長さのワイヤ片をその前端に継ぎ足すか、或いは、上記一定長さのメッセンジャーワイヤ５をトンネル１０の天端１２に対して継ぎ足し可能なレール部材等を介してトンネル長さ方向に移動可能に支持させておき、発破により一定長のトンネル部分が掘削される毎にその長さに相当する距離だけメッセンジャーワイヤ５全体を前方に移動させる。
【００３２】
そして、発破の完了後、縦仕切幕１を前方に引き出してその前端がメッセンジャーワイヤ５の前端に達するまで展開し、上記同様にその下端をトンネル底面１３に切り離し可能に固定すると共に、この縦仕切幕１によって仕切られた集塵通路３の後端部内に移動車７上の集塵機２の集塵部２ａを臨ませた状態にして吸気ファン２ｂを作動させることにより、切羽近傍部１１内に発生している粉塵を集塵通路３内を通じて空気と共に吸い込み、集塵部２ａによって集塵、除去したのち、排出口２ｃから新鮮な空気として後方に排出するものである。
【００３３】
以下、発破によって一定長のトンネル部分が掘削される毎に、縦仕切幕１をその長さに相当する距離だけ切羽側に移動させると共に集塵通路３の後端に集塵機２の集塵部２ａを臨ませて吸気ファン２ｂの作動により発破時やコンクリート吹き付け時に発生する切羽近傍部１１内の粉塵を空気と共に集塵通路３を通じて吸引、除去し、発破時には縦仕切幕１を後方に引き寄せ撤去しておく工程を繰り返し行うことによってトンネルを築造していくものである。
【００３４】
なお、以上の実施の形態においては、縦仕切幕１をトンネル長さ方向に後方に引き寄せ可能にしているが、トンネル底面１３側からトンネル天端１２に向かって引き寄せ可能に構成しておいてもよい。
【００３５】
図６、図７はその実施の形態を示すもので、トンネル天端１２における一側部の天端部分に所定長さのメッセンジャーワイヤ５をトンネル長さ方向に取付け、このメッセンジャーワイヤ５から吊り下げている縦仕切幕１において、この縦仕切幕１の長さ方向に一定間隔毎に上下開閉用紐１４、１４・・・を該縦仕切幕１の下端からメッセンジャーワイヤ５間に亘って配設し、この上下開閉用紐１４を一斉に引き上げることによって縦仕切幕１をメッセンジャーワイヤ５に引き寄せるように構成している。
【００３６】
上下開閉用紐１４による縦仕切幕１の引き上げ、吊り降ろし操作手段、即ち、開閉操作手段としては、例えば、上記上下開閉用紐１４の下端を縦仕切幕１の下端に固定する一方、上端側をメッセンジャーワイヤ５に沿って配設した適宜の巻取軸に一定間隔毎に装着している溝車に巻回しておき、巻取軸を手動、或いはモータにより自動的に正方向、逆方向に回転させるように構成しておけばよい。縦仕切幕１は横長長方形状の可撓性（柔軟性）を有する非通気性のシート材よりなることや切羽から約２０ｍ後方側に約５０ｍのトンネル長さ間に亘って配設すること等のその他の構造については、上記図１〜図３示した実施の形態と同様であるので、同一部分には同一符号を付して詳細な説明を省略する。
【００３７】
また、上記いずれの実施の形態においても、縦仕切幕１はメッセンジャーワイヤ５から吊り下げているが、このメッセンジャーワイヤ５に代えてカーテンレールを採用してもよい。さらに、メッセンジャ−ワイヤ５に代えて巻き取り軸を採用し、この巻き取り軸に縦仕切幕１を上下方向或いは前後方向に巻き取り、巻き戻し可能に配設しておいてもよい。また、張設された縦仕切幕のトンネル天端側を切り離してトンネル底面側に引き寄せるように構成しておいてもよい。
【００３８】
【発明の効果】
以上のように本発明のトンネル内における集塵方法によれば、請求項１に記載したように、切羽近傍部から所定長さ後方に達するまでのトンネル内をトンネル長さ方向に長い縦仕切幕によって集塵通路と送風通路とに分割すると共に該集塵通路の後端側に集塵機を配設してこの集塵機により切羽側に発生している粉塵を上記集塵通路を通じて吸引、除去することを特徴とするものであるから、集塵機の吸引口及び集塵通路の横断面積を極めて大きく設定することができ、そのため、集塵機の吸引力を集塵通路を通じて切羽近傍部内の広い範囲に亘って作用させることができると共に、切羽近傍部内に発生した粉塵を含む汚れた空気を集塵通路を通じて多量に且つ効率よく吸引、除去することができ、従って、粉塵の処理時間を著しく短縮することができると共に切羽近傍部への送風量を増加させて良好な作業環境を得ることができる。
【００３９】
さらに、請求項２に係る発明によれば、切羽近傍部で発生した粉塵の除去後、該切羽を発破により掘削する際に縦仕切幕を引き寄せ、発破後に該縦仕切幕を展開すると共に発破後の切羽側に向かって移動させて再び粉塵除去を行うことを特徴とするものであるから、発破作業時においてその発破に影響されないように縦仕切幕を引き寄せて撤去する作業や、発破終了後において切羽近傍部内で発生した粉塵の除去作業を行うための縦仕切幕の展開作業が迅速に行えて粉塵の除去処理や発破作業等の作業能率を向上させることができる。
【００４０】
また、上記トンネル内の集塵方法を実施するための装置としては、請求項３に記載したように、切羽近傍部から所定長さ後方に達するまでのトンネル内に配設してトンネル横断面を集塵通路と送風通路とに分割する縦仕切幕と、この縦仕切幕によって形成された上記集塵通路の後端部に配設して切羽側に発生した粉塵をこの集塵通路を通じて吸引除去する集塵機とからなるので、構造が簡単で安価な集塵装置を提供することができると共に保守、点検も容易であるばかりでなく、縦仕切幕によって切羽近傍部から後方部のトンネル内における所定長さ部分を容易に集塵通路と送風通路とに分割することができ、しかも、従来の風管からなる集塵管路に比較して数倍、広い集塵通路を形成することができる。
【００４１】
従って、切羽近傍部内の粉塵含有空気を円滑且つ確実にこの集塵通路を通じて集塵機に吸引させることができ、集塵効率を向上させることができる。さらに、上記縦仕切幕は横長長方形状の可撓性シート材からなり、この縦仕切幕をトンネル天端に取付けているトンネル長さ方向に長いメッセンジャーワイヤ或いはカーテンレールから吊り下げてその下端をトンネル底面に切り離し可能に固定するように構成しているので、粉塵処理時には縦仕切幕によって切羽近傍部から後方におけるトンネル内の所定長さ部分を集塵通路と送風通路とに確実に分割しておくことができる。
【００４２】
さらに、上記縦仕切幕は、トンネル天端に取付けている上記メッセンジャーワイヤ或いはカーテンレールに、上下方向又はトンネル長さ方向に引き寄せ自在に吊り下げているので、発破時や集塵を行う必要のない作業時には折り畳むことによって容易に邪魔にならない状態に撤去しておくことができ、集塵処理時には簡単に展開することができて集塵処理の準備を迅速に行うことができる。
【図面の簡単な説明】
【図１】トンネル切羽近傍部で発生した粉塵を除去している状態の簡略縦断側面図、
【図２】その簡略平面図、
【図３】簡略縦断正面図、
【図４】縦仕切幕を後方に折り畳んだ状態の簡略縦断側面図、
【図５】その簡略平面図、
【図６】縦仕切幕を上方に折り畳んだ状態の簡略縦断側面図、
【図７】その簡略平面図、
【図８】従来例を示す簡略縦断側面図、
【図９】その簡略平面図。
【符号の説明】
１  縦仕切幕
２  集塵機
３  集塵通路
４  送風通路
５  メッセンジャーワイヤ
８  遮風横断幕
１０  トンネル
１１  切羽近傍部
１２  トンネル天端
【図１】
2004324188.tif 000003
【図２】
2004324188.tif 000004
【図３】
2004324188.tif 000005
【図４】
2004324188.tif 000006
【図５】
2004324188.tif 000007
【図６】
2004324188.tif 000008
【図７】
2004324188.tif 000009
【図８】
2004324188.tif 000010
【図９】
2004324188.tif 000011